(57)【特許請求の範囲】
【請求項１】
無線通信方法であって、
第１のネットワークノードによって、負荷要求メッセージを第２のネットワークノードに送信することであって、前記負荷要求メッセージは、負荷情報を前記第１のネットワークノードに報告するように前記第２のネットワークノードに要求するように構成され、前記負荷要求メッセージは、前記第２のネットワークノードが報告するように要求される、前記負荷情報の負荷オブジェクトを示す、ことと、
前記第１のネットワークノードによって、前記第２のネットワークノードから前記負荷情報を受信することと
を含み、
前記第２のネットワークノードおよび前記第１のネットワークノードは、ネットワーク内の異なる論理ノードに属し、
前記負荷オブジェクトは、セルの各スライスに対応するリソース使用量情報を含む、方法。
【請求項２】
前記負荷オブジェクトは、前記第２のネットワークノードのハードウェアリソース負荷ステータス、または前記第２のネットワークノードのアクティブユーザの数のうちの少なくとも１つを含む、請求項１に記載の方法。
【請求項３】
前記負荷要求メッセージを送信するステップに続き、前記第１のネットワークノードによって、前記第２のネットワークノードから負荷要求応答メッセージを受信することをさらに含み、前記負荷要求応答メッセージは、前記要求が完了されたことを示す、請求項１に記載の方法。
【請求項４】
前記負荷要求応答メッセージは、測定ＩＤを含む、請求項３に記載の方法。
【請求項５】
前記負荷要求メッセージを送信するステップに続き、前記第１のネットワークノードによって、前記第２のネットワークノードから負荷要求失敗メッセージを受信することをさらに含み、前記負荷要求失敗メッセージは、前記要求が失敗することを示す、請求項１に記載の方法。
【請求項６】
前記負荷要求失敗メッセージは、測定ＩＤ、または前記要求の失敗に関する原因値のうちの少なくとも１つを含む、請求項５に記載の方法。
【請求項７】
前記負荷情報は、前記第２のネットワークノードのハードウェアリソース負荷ステータスを含む、請求項１に記載の方法。
【請求項８】
前記負荷情報は、前記セルの各スライスに対応する前記リソース使用量情報、または前記セルのアクティブユーザの数のうちの少なくとも１つを含む、請求項１に記載の方法。
【請求項９】
無線通信方法であって、
第２のネットワークノードによって、第１のネットワークノードから負荷要求メッセージを受信することであって、前記負荷要求メッセージは、負荷情報を前記第１のネットワークノードに報告するように前記第２のネットワークノードに要求するように構成され、前記負荷要求メッセージは、前記第２のネットワークノードが報告するように要求される、前記負荷情報の負荷オブジェクトを示す、ことと、
前記第２のネットワークノードによって、前記第１のネットワークノードに前記負荷情報を送信することと
を含み、
前記第２のネットワークノードおよび前記第１のネットワークノードは、ネットワーク内の異なる論理ノードに属し、
前記負荷オブジェクトは、セルの各スライスに対応するリソース使用量情報を含む、方法。
【請求項１０】
前記負荷オブジェクトは、前記第２のネットワークノードのハードウェアリソース負荷ステータス、または前記第２のネットワークノードのアクティブユーザの数のうちの少なくとも１つを含む、請求項９に記載の方法。
【請求項１１】
前記負荷要求メッセージを受信するステップに続き、前記第２のネットワークノードによって、前記第１のネットワークノードに負荷要求応答メッセージを送信することをさらに含み、前記負荷要求応答メッセージは、前記要求が完了されたことを示す、請求項９に記載の方法。
【請求項１２】
前記負荷要求応答メッセージは、測定ＩＤを含む、請求項１１に記載の方法。
【請求項１３】
前記負荷要求メッセージを受信するステップに続き、前記第２のネットワークノードによって、前記第１のネットワークノードに負荷要求失敗メッセージを送信することをさらに含み、前記負荷要求失敗メッセージは、前記要求が失敗することを示す、請求項９に記載の方法。
【請求項１４】
前記負荷要求失敗メッセージは、測定ＩＤ、または前記要求の失敗に関する原因値のうちの少なくとも１つを含む、請求項１３に記載の方法。
【請求項１５】
前記負荷情報は、前記第２のネットワークノードのハードウェアリソース負荷ステータスを含む、請求項９に記載の方法。
【請求項１６】
前記負荷情報は、前記セルの各スライスに対応する前記リソース使用量情報、または前記セルのアクティブユーザの数のうちの少なくとも１つを含む、請求項９に記載の方法。
【請求項１７】
負荷情報相互作用ためのデバイスであって、
情報処理ためのプログラムを記憶するように構成されたメモリと、
前記プログラムを実行するように構成されたプロセッサと
を備え、
前記プロセッサは、前記プログラムを実行するとき、請求項１に記載の方法を実装する、デバイス。
【請求項１８】
負荷情報相互作用ためのデバイスであって、
情報処理ためのプログラムを記憶するように構成されたメモリと、
前記プログラムを実行するように構成されたプロセッサと
を備え、
前記プロセッサは、前記プログラムを実行するとき、請求項９に記載の方法を実装する、デバイス。
【発明の詳細な説明】
【技術分野】
【０００１】
（関連出願の相互参照）
本願は、その全内容が、参照することによって本明細書に組み込まれる、２０１７年９月２７日に出願された、中国特許出願第２０１７１０８９１６９５．０号に基づき、その優先権を主張する。
【０００２】
（技術分野）
本開示は、限定ではないが、通信の分野に関し、特に、負荷情報相互作用のための方法およびデバイス、プロセッサ、ならびに記憶媒体に関する。
【背景技術】
【０００３】
（背景）
第５世代（５Ｇ）モバイル通信の時代に突入するにつれて、大量接続およびより高いデータ伝送レートにおけるユーザの要件が、ロングタームエボリューション（ＬＴＥ）システムにおける遠隔無線ユニット（ＲＲＵ）とベースバンドユニット（ＢＢＵ）との間の共通パブリック無線インターフェース（ＣＰＲＩ）の伝送容量に大きな課題を提示している。ＣＰＲＩは、大量デジタルビットストリームレートに対応する、物理層コーディングおよび変調ならびに同等物に従って、同相直交（ＩＱ）信号を伝送するために使用されるため、ＣＰＲＩは、帯域幅および伝送遅延において比較的に高要件を有する。５Ｇのエアインターフェースレートは、数十Ｇｂｐｓまで増加したとき、ＣＰＲＩインターフェースの伝送トラフィックは、必然的に、少なくともＴｂｐｓレベルまで上昇し得るが、これは、フロントホールネットワークインターフェースの展開コストおよび難点に途方もない重圧をかける。
【０００４】
したがって、５Ｇの新たな無線（ＮＲ）システムでは、フロントホールネットワークインターフェースを分類するための様式が、再定義される必要がある。フロントホールインターフェースを分類するための様式に関して、伝送容量、伝送遅延、および展開利便性等の種々の側面が、検討される必要がある。例えば、非理想的フロントホール伝送を検討すると、遅延非依存ネットワーク機能は、集中型ユニット（ＣＵ）等の第１のネットワーク要素内に実装され、遅延依存ネットワーク機能は、分散型ユニット（ＤＵ）等の第２のネットワーク要素内に実装される。第１のネットワーク要素と第２のネットワーク要素との間の伝送は、理想的または非理想的フロントホールネットワークを通して実施される。図１は、関連技術における、第１のネットワーク要素と第２のネットワーク要素との間のインターフェースの概略図である。しかしながら、関連技術では、第１のネットワーク要素内の制御プレーン（ＣＰ）およびユーザプレーン（ＵＰ）が物理的に分離されないときの相互作用のみが、検討される。
【発明の概要】
【発明が解決しようとする課題】
【０００５】
（要約）
これに照らして、本開示の実施形態は、負荷情報相互作用のための方法およびデバイス、プロセッサ、ならびに記憶媒体を提供することが予期され、第２のネットワークノードおよび第１のネットワークノードが、ネットワーク内の異なる論理ノードに属するとき、負荷管理は、効果的に実施されることが可能である。
【課題を解決するための手段】
【０００６】
本開示の実施形態は、負荷情報相互作用のための方法を提供する。本方法は、第１のネットワークノードによって、負荷要求メッセージを第２のネットワークノードに送信することであって、負荷要求メッセージは、負荷情報を第１のネットワークノードに報告する際に第２のネットワークノードによって使用される、構成情報を示すために使用される、ことと、第１のネットワークノードによって、構成情報に従って第２のネットワークノードによって報告される負荷情報を受信することとを含み、第２のネットワークノードおよび第１のネットワークノードは、ネットワーク内の異なる論理ノードに属する。
【０００７】
本開示の実施形態はさらに、負荷情報相互作用のための方法を提供する。本方法は、第２のネットワークノードによって、負荷要求メッセージを第１のネットワークノードから受信することであって、負荷要求メッセージは、負荷情報を第１のネットワークノードに報告する際に第２のネットワークノードによって使用される、構成情報を示すために使用される、ことと、第２のネットワークノードによって、構成情報に従って第１のネットワークノードに報告される負荷情報を受信することとを含み、第２のネットワークノードおよび第１のネットワークノードは、ネットワーク内の異なる論理ノードに属する。
【０００８】
本開示の実施形態はさらに、第１のネットワークノードに適用される、負荷情報相互作用のためのデバイスを提供する。本デバイスは、負荷要求メッセージを第２のネットワークノードに送信するように構成される、送信モジュールであって、負荷要求メッセージは、負荷情報を第１のネットワークノードに報告する際に第２のネットワークノードによって使用される、構成情報を示すために使用される、送信モジュールと、構成情報に従って第２のネットワークノードによって報告される負荷情報を受信するように構成される、受信モジュールとを含み、第２のネットワークノードおよび第１のネットワークノードは、ネットワーク内の異なる論理ノードに属する。
【０００９】
本開示の実施形態はさらに、第２のネットワークノードに適用される、負荷情報相互作用のためのデバイスを提供する。本デバイスは、第１のネットワークノードによって送信される負荷要求メッセージを受信するように構成される、受信モジュールであって、負荷要求メッセージは、負荷情報を第１のネットワークノードに報告する際に第２のネットワークノードによって使用される、構成情報を示すために使用される、受信モジュールと、構成情報に従って負荷情報を第１のネットワークノードに報告するように構成される、報告モジュールとを含み、第２のネットワークノードおよび第１のネットワークノードは、ネットワーク内の異なる論理ノードに属する。
【００１０】
本発明の実施形態はさらに、記憶媒体を提供する。記憶媒体は、負荷要求メッセージを第２のネットワークノードに送信することであって、負荷要求メッセージは、負荷情報を第１のネットワークノードに報告する際に第２のネットワークノードによって使用される、構成情報を示すために使用される、ことと、構成情報に従って第２のネットワークノードによって報告される負荷情報を受信することとを実行するためのプログラムコードを記憶するように構成される。
【００１１】
本開示の実施形態はさらに、記憶媒体を提供する。記憶媒体は、第１のネットワークノードによって送信される負荷要求メッセージを受信することであって、負荷要求メッセージは、負荷情報を第１のネットワークノードに報告する際に第２のネットワークノードによって使用される、構成情報を示すために使用される、ことと、第２のネットワークノードによって、構成情報に従って第１のネットワークノードに報告される負荷情報を受信することとを実行するためのプログラムコードを記憶するように構成される。
【００１２】
本開示の実施形態はさらに、プロセッサを提供する。プロセッサは、プログラムを実行するように構成され、実行されると、プログラムは、本開示の実施形態によって提供される負荷情報相互作用のための方法を実施させる。
【００１３】
本開示の実施形態はさらに、トンネルグラント情報処理のためのプログラムを記憶するように構成される、メモリと、プログラムを実行するように構成される、プロセッサであって、プログラムは、実行されると、本開示の実施形態による負荷情報相互作用のための方法を実施する、プロセッサとを含む、負荷情報相互作用のためのデバイスを提供する。
【００１４】
本開示の実施形態を用いることで、負荷管理が、第２のネットワークノードおよび第１のネットワークノードが異なる論理ノードに属するとき、関連技術において実施されることができないとう技術的問題が、解決され、ネットワークの最大性能が、完全を呈されるように、第１のネットワークノードは、負荷要求メッセージを第２のネットワークノードに送信し、第２のネットワークノードによって報告される負荷情報を受信する。
本願明細書は、例えば、以下の項目も提供する。
（項目１）
負荷情報相互作用のための方法であって、
第１のネットワークノードによって、負荷要求メッセージを第２のネットワークノードに送信することであって、前記負荷要求メッセージは、負荷情報を前記第１のネットワークノードに報告する際に前記第２のネットワークノードによって使用される、構成情報を示すために使用される、ことと、
前記第１のネットワークノードによって、前記構成情報に従って前記第２のネットワークノードによって報告される前記負荷情報を受信することと
を含み、
前記第２のネットワークノードおよび前記第１のネットワークノードは、ネットワーク内の異なる論理ノードに属する、方法。
（項目２）
前記第１のネットワークノードによって、前記負荷要求メッセージを前記第２のネットワークノードに送信した後、前記方法はさらに、
前記第１のネットワークノードによって、前記負荷要求メッセージに応答して前記第２のネットワークノードによってフィードバックされる、負荷要求応答メッセージを受信することであって、前記負荷要求応答メッセージは、構成情報初期化が完了されたことを示すために使用される、こと、または
前記第１のネットワークノードによって、前記負荷要求メッセージに応答して前記第２のネットワークノードによってフィードバックされる、負荷要求失敗メッセージを受信することであって、前記負荷要求失敗メッセージは、前記構成情報初期化が失敗することを示すために使用される、こと
のうちの１つを含む、項目１に記載の方法。
（項目３）
前記負荷要求応答メッセージは、以下の情報、すなわち、前記第１のネットワークノードの識別情報、前記第２のネットワークノードの識別情報、測定ＩＤ、前記第２のネットワークノードによってサポートされる測定オブジェクトリスト、または前記第２のネットワークノードによってサポートされない測定オブジェクトリストのうちの１つ以上を搬送する、もしくは
前記負荷要求失敗メッセージは、以下の情報、すなわち、前記第１のネットワークノードの識別情報、前記第２のネットワークノードの識別情報、測定ＩＤ、および初期化失敗に関する原因値のうちの１つ以上を搬送する、項目２に記載の方法。
（項目４）
前記第１のネットワークノードによって、前記構成情報に従って前記第２のネットワークノードによって報告される前記負荷情報を受信した後、前記方法はさらに、
前記第１のネットワークノードによって、前記負荷情報に従って、アクセス側ユーザ機器（ＵＥ）のための前記第２のネットワークノードを選択すること、または
前記第１のネットワークノードによって、前記負荷情報に従って、負荷バランシング処理を接続された第２のネットワークノード上で実施すること
のうちの少なくとも１つを含む、項目１に記載の方法。
（項目５）
前記負荷要求メッセージは、前記第１のネットワークノードの識別情報、前記第２のネットワークノードの識別情報、前記第２のネットワークノードによって前記負荷情報を報告するための様式を示すためのインジケーション情報、前記第２のネットワークノードが報告するために要求される前記負荷情報の粒度情報、または前記第２のネットワークノードが報告するために要求される前記負荷情報の負荷オブジェクトのうちの少なくとも１つを搬送する、項目１に記載の方法
（項目６）
前記インジケーション情報は、周期的報告、イベントトリガ報告、およびリアルタイム報告のうちの１つを含む、項目５に記載の方法。
（項目７）
前記粒度情報は、ノードレベル、セルレベル、およびＵＥレベルのうちの１つを含む、項目５に記載の方法。
（項目８）
前記負荷オブジェクトは、前記第２のネットワークノードのハードウェアリソース負荷ステータス、ＮＧ−Ｕインターフェース伝送帯域幅占有パーセンテージ、Ｆ１−Ｕインターフェース伝送帯域幅占有パーセンテージ、セルの各スライスに対応するリソース使用量情報、前記第２のネットワークノードによって現在確立されている端末のデータリソースベアラ（ＤＲＢ）の数、前記第２のネットワークノードのアクティブユーザの数、またはユーザトラフィック情報のうちの少なくとも１つを含む、項目５に記載の方法。
（項目９）
前記第１のネットワークノードは、制御プレーン（ＣＰ）が位置する、ネットワークノードである、項目１に記載の方法。
（項目１０）
負荷情報相互作用のための方法であって、
第２のネットワークノードによって、負荷要求メッセージを第１のネットワークノードから受信することであって、前記負荷要求メッセージは、負荷情報を前記第１のネットワークノードに報告する際に前記第２のネットワークノードによって使用される、構成情報を示すために使用される、ことと、
前記第２のネットワークノードによって、前記構成情報に従って前記第１のネットワークノードに報告される負荷情報を受信することと
を含み、
前記第２のネットワークノードおよび前記第１のネットワークノードは、ネットワーク内の異なる論理ノードに属する、方法。
（項目１１）
前記第２のネットワークノードによって、前記負荷要求メッセージを前記第１のネットワークノードから受信した後、前記方法はさらに、
前記第２のネットワークノードによって、負荷要求応答メッセージを前記第１のネットワークノードにフィードバックすることであって、前記負荷要求応答メッセージは、構成情報初期化が完了されたことを示すために使用される、こと、または
前記第２のネットワークノードによって、負荷要求失敗メッセージを前記第１のネットワークノードにフィードバックすることであって、前記負荷要求失敗メッセージは、構成情報初期化が失敗することを示すために使用される、こと
のうちの１つを含む、項目１０に記載の方法。
（項目１２）
前記負荷要求メッセージは、前記第１のネットワークノードの識別情報、前記第２のネットワークノードの識別情報、測定ＩＤ、前記第２のネットワークノードによって前記負荷情報を報告するための様式を示すためのインジケーション情報、前記第２のネットワークノードが報告するために要求される前記負荷情報の粒度情報、または前記第２のネットワークノードが報告するために要求される前記負荷情報の負荷オブジェクトのうちの少なくとも１つを搬送する、項目１０に記載の方法。
（項目１３）
前記第２のネットワークノードは、ユーザプレーン（ＵＰ）が位置する、ネットワークノードである、項目１０に記載の方法。
（項目１４）
第１のネットワークノードに適用される、負荷情報相互作用のためのデバイスであって、
負荷要求メッセージを第２のネットワークノードに送信するように構成される、送信モジュールであって、前記負荷要求メッセージは、負荷情報を前記第１のネットワークノードに報告する際に前記第２のネットワークノードによって使用される、構成情報を示すために使用される、送信モジュールと、
前記構成情報に従って前記第２のネットワークノードによって報告される前記負荷情報を受信するように構成される、受信モジュールと
を備え、
前記第２のネットワークノードおよび前記第１のネットワークノードは、ネットワーク内の異なる論理ノードに属する、デバイス。
（項目１５）
第２のネットワークノードに適用される、負荷情報相互作用のためのデバイスであって、
第１のネットワークノードによって送信される負荷要求メッセージを受信するように構成される、受信モジュールであって、前記負荷要求メッセージは、負荷情報を前記第１のネットワークノードに報告する際に前記第２のネットワークノードによって使用される、構成情報を示すために使用される、受信モジュールと、
前記構成情報に従って前記第１のネットワークノードに報告される負荷情報を受信するように構成される、報告モジュールと
を備え、
前記第２のネットワークノードおよび前記第１のネットワークノードは、ネットワーク内の異なる論理ノードに属する、デバイス。
（項目１６）
プログラムを記憶する、記憶媒体であって、前記プログラムは、実行されると、項目１−９のいずれか１項に記載の負荷情報相互作用のための前記方法を実施させる、記憶媒体。
（項目１７）
プログラムを記憶する、記憶媒体であって、前記プログラムは、実行されると、項目１０−１３のいずれか１項に記載の負荷情報相互作用のための前記方法を実施させる、記憶媒体。
（項目１８）
プログラムを実行するように構成される、プロセッサであって、前記プログラムを実行すると、項目１−９のいずれか１項に記載の負荷情報相互作用のための前記方法を実施する、プロセッサ。
（項目１９）
プログラムを実行するように構成される、プロセッサであって、前記プログラムを実行すると、項目１０−１３のいずれか１項に記載の負荷情報相互作用のための前記方法を実施する、プロセッサ。
（項目２０）
第１のネットワークノードに適用される、負荷情報相互作用のためのデバイスであって、
トンネルグラント情報処理のためのプログラムを記憶するように構成される、メモリと、
前記プログラムを実行するように構成される、プロセッサであって、前記プログラムを実行すると、項目１−９のいずれか１項に記載の負荷情報相互作用のための前記方法を実装する、プロセッサと
を備える、デバイス。
（項目２１）
第２のネットワークノードに適用される、負荷情報相互作用のためのデバイスであって、
トンネルグラント情報処理のためのプログラムを記憶するように構成される、メモリと、
前記プログラムを実行するように構成される、プロセッサであって、前記プログラムを実行すると、項目１０−１３のいずれか１項に記載の負荷情報相互作用のための前記方法を実装する、プロセッサと
を備える、デバイス。
【図面の簡単な説明】
【００１５】
【図１】図１は、関連技術における、第１のネットワーク要素と第２のネットワーク要素との間のインターフェースの概略図である。
【図２】図２は、本開示の実施形態によって提供される、負荷情報相互作用のための方法のフローチャートである
【図３】図３は、本開示の実施形態によって提供される、負荷情報相互作用のための別の方法のフローチャートである。
【図４】図４は、本開示の実施形態によって提供される、負荷情報相互作用のためのデバイスの構造ブロック図である。
【図５】図５は、本開示の実施形態によって提供される、負荷情報相互作用のための別のデバイスの構造ブロック図である。
【図６】図６は、本開示の実施形態によって提供される、第１のネットワーク要素（ＣＰ）、第１のネットワーク要素（ＵＰ）、および第２のネットワーク要素間の関係の概略図である。
【図７】図７は、本開示の実施形態によって提供される、ＣＰによって開始されるトラフィック負荷報告の初期化の概略フローチャートである。
【図８】図８は、本開示の実施形態によって提供される、トラフィック負荷報告の概略フローチャートである。
【発明を実施するための形態】
【００１６】
（詳細な説明）
本開示は、図面を参照し、実施形態と併せて、詳細に以降で説明されるであろう。矛盾しない場合、本願における実施形態および特徴は、相互に組み合わせられることができることに留意されたい。
【００１７】
本発明の説明、請求項、および上記の図面における、用語「第１」、「第２」、ならびに同等物は、類似オブジェクト間で区別するために使用され、必ずしも、特定の順序またはシーケンスを説明するために使用されないことに留意されたい。
【００１８】
本開示の実施形態による、ネットワークアーキテクチャは、制御プレーンと、ユーザプレーンとを含み、制御プレーンは、ユーザプレーンと相互作用する。
【００１９】
ある実施形態は、上記に説明されるネットワークアーキテクチャ上で実行される、負荷情報相互作用のための方法を提供する。図２は、本開示の方法ある実施形態による、負荷情報相互作用のためのフローチャートである。図２に示されるように、本方法は、下記に説明されるステップを含む。
【００２０】
ステップＳ２０２では、第１のネットワークノードは、負荷要求メッセージを第２のネットワークノードに送信し、負荷要求メッセージは、負荷情報を第１のネットワークノードに報告する際に第２のネットワークノードによって使用される、構成情報を示すために使用される。
【００２１】
ステップＳ２０４では、第１のネットワークノードは、構成情報に従って第２のネットワークノードによって報告される負荷情報を受信する。
【００２２】
第２のネットワークノードおよび第１のネットワークノードは、ネットワーク内の異なる論理ノードに属する。
【００２３】
上記のステップを通して、負荷管理が、第２のネットワークノードおよび第１のネットワークノードが異なる論理ノードに属するとき、実施されることができないという関連技術における技術的問題が、解決され、ネットワークの最大性能が、完全に呈されるように、第１のネットワークノードは、負荷要求メッセージを第２のネットワークノードに送信し、第２のネットワークノードによって報告される負荷情報を受信する。
【００２４】
ある実施形態では、上記のステップの実行体、すなわち、第１のネットワーク要素は、限定ではないが、例えば、制御プレーンネットワーク要素であってもよい。
【００２５】
ある実施形態では、第１のネットワークノードによって、負荷要求メッセージを第２のネットワークノードに送信した後、本方法はさらに、第１のネットワークノードによって、負荷要求メッセージに応答して第２のネットワークノードによってフィードバックされる、負荷要求応答メッセージを受信することであって、負荷要求応答メッセージは、構成情報初期化が完了されたことを示すために使用される、こと、または第１のネットワークノードによって、負荷要求メッセージに応答して第２のネットワークノードによってフィードバックされる、負荷要求失敗メッセージを受信することであって、負荷要求失敗メッセージは、構成情報初期化が失敗することを示すために使用される、ことのうちの１つを含む。
【００２６】
ある実施形態では、負荷要求応答メッセージは、以下の情報、すなわち、第１のネットワークノードの識別情報、第２のネットワークノードの識別情報、測定ＩＤ、第２のネットワークノードによってサポートされる測定オブジェクトリスト、および第２のネットワークノードによってサポートされない測定オブジェクトリストのうちの１つ以上を搬送する。負荷要求失敗メッセージは、以下の情報、すなわち、第１のネットワークノードの識別情報、第２のネットワークノードの識別情報、測定ＩＤ、および初期化失敗に関する原因値のうちの１つ以上を搬送する。
【００２７】
ある実施形態では、第１のネットワークノードが、構成情報に従って第２のネットワークノードによって報告される負荷情報を受信した後、本方法はさらに、第１のネットワークノードによって、負荷情報に従って、アクセス側ユーザ機器（ＵＥ）のための第２のネットワークノードを選択すること、または第１のネットワークノードによって、負荷情報に従って、負荷バランシング処理を接続された第２のネットワークノード上で実施することのうちの少なくとも１つを含む。
【００２８】
ある実施形態では、負荷要求メッセージは、以下の情報、すなわち、第１のネットワークノードの識別情報、第２のネットワークノードの識別情報、第２のネットワークノードによって負荷情報を報告するための様式を示すためのインジケーション情報、第２のネットワークノードが報告するために要求される負荷情報の粒度情報、または第２のネットワークノードが報告するために要求される負荷情報の負荷オブジェクトのうちの少なくとも１つを搬送する。
【００２９】
ある実施形態では、インジケーション情報は、周期的報告、イベントトリガ報告、およびリアルタイム報告のうちの１つを含む。
【００３０】
ある実施形態では、粒度情報は、ノードレベル、セルレベル、ＵＥレベルのうちの１つを含む。
【００３１】
ある実施形態では、負荷オブジェクトは、第２のネットワークノードのハードウェアリソース負荷ステータス、ＮＧ−Ｕインターフェース伝送帯域幅占有パーセンテージ、Ｆ１−Ｕインターフェース伝送帯域幅占有パーセンテージ、セルの個別のスライスに対応するリソース使用量情報、第２のネットワークノードによって現在確立されている端末のデータリソースベアラ（ＤＲＢ）の数、第２のネットワークノードのアクティブユーザの数、またはユーザトラフィック情報のうちの少なくとも１つを含む。
【００３２】
ある実施形態では、第１のネットワークノードは、その中に制御プレーンが位置する、ネットワークノードであってもよく、第２のネットワークノードは、その中にユーザプレーンが位置する、ネットワークノードであってもよく、制御プレーンおよびユーザプレーンは、同一ネットワーク要素の制御プレーンおよびユーザプレーン、または同一システムの制御プレーンおよびユーザプレーン、もしくは異なるオブジェクトの制御プレーンおよびユーザプレーンであってもよい。
【００３３】
ある実施形態は、負荷情報相互作用のための別の方法を提供する。図３は、本開示の実施形態によって提供される、負荷情報相互作用のための別の方法のフローチャートである。図３に示されるように、本方法は、下記に説明されるステップを含む。
【００３４】
ステップＳ３０２では、第２のネットワークノードは、負荷要求メッセージを第１のネットワークノードから受信し、負荷要求メッセージは、負荷情報を第１のネットワークノードに報告する際に第２のネットワークノードによって使用される、構成情報を示すために使用される。
【００３５】
ステップＳ３０４では：第２のネットワークノードは、構成情報に従って第１のネットワークノードに報告される負荷情報を受信する。
【００３６】
第２のネットワークノードおよび第１のネットワークノードは、ネットワーク内の異なる論理ノードに属する。
【００３７】
ある実施形態では、上記のステップの実行体は、限定ではないが、例えば、ユーザプレーンネットワーク要素であってもよい。
【００３８】
ある実施形態では、第２のネットワークノードが、第１のネットワークノードによって送信される負荷要求メッセージを受信した後、本方法はさらに、第２のネットワークノードによって、負荷要求応答メッセージを第１のネットワークノードにフィードバックすることであって、負荷要求応答メッセージは、構成情報初期化が完了されたことを示すために使用される、こと、または第２のネットワークノードによって、負荷要求失敗メッセージを第１のネットワークノードにフィードバックすることであって、負荷要求失敗メッセージは、構成情報初期化が失敗することを示すために使用される、ことのうちの１つを含む。
【００３９】
ある実施形態では、負荷要求メッセージは、以下の情報、すなわち、第１のネットワークノードの識別情報、第２のネットワークノードの識別情報、測定ＩＤ、第２のネットワークノードによって負荷情報を報告するための様式を示すためのインジケーション情報、第２のネットワークノードが報告するために要求される負荷情報の粒度情報、または第２のネットワークノードが報告するために要求される負荷情報の負荷オブジェクトのうちの少なくとも１つを搬送する。
【００４０】
ある実施形態では、第１のネットワークノードは、その中に制御プレーンが位置する、ネットワークノードであってもよく、第２のネットワークノードは、その中にユーザプレーンが位置する、ネットワークノードであってもよく、制御プレーンおよびユーザプレーンは、同一ネットワーク要素の制御プレーンおよびユーザプレーン、または同一システムの制御プレーンおよびユーザプレーン、もしくは異なるオブジェクトの制御プレーンおよびユーザプレーンであってもよい。
【００４１】
前述の実施形態の説明から、上記に説明される実施形態における方法は、ソフトウェアに加えて、必要な一般的ハードウェアプラットフォームによって実装されてもよい、または、当然ながら、ハードウェアによって実装されてもよいことが、当業者に明白となるであろう。しかしながら、多くの場合、前者が、好ましい実装様式である。本理解に基づいて、既存の技術に実質的または部分的に寄与する、本開示の技術的ソリューションは、ソフトウェア製品の形態で具現化されてもよい。コンピュータソフトウェア製品は、記憶媒体（等読取専用メモリ（ＲＯＭ）／ランダムアクセスメモリ（ＲＡＭ）、磁気ディスク、または光ディスク）内に記憶され、端末デバイス（携帯電話、コンピュータ、サーバ、ネットワークデバイス、または同等物であり得る）が、各本開示の実施形態に従って方法を実行することを可能にするための１つ以上の命令を含む。
【００４２】
本開示の実施形態はさらに、負荷情報相互作用のためのデバイスを提供する。本デバイスは、前述の実施形態および好ましい実装を実装するように構成される。説明された内容は、繰り返されないであろう。下記に使用されるように、用語「モジュール」は、所定の機能を実装することが可能なソフトウェア、ハードウェア、またはそれらの組み合わせであってもよい。下記に説明される実施形態におけるデバイスは、好ましくは、ソフトウェアによって実装されるが、ハードウェアによる、またはソフトウェアおよびハードウェアの組み合わせによる、実装もまた、可能性として考えられ、想起される。
【００４３】
図４は、本開示のある実施形態による、負荷情報相互作用のためのデバイスのブロック図である。本デバイスは、図４に示されるように、第１のネットワークノードに適用され、本デバイスは、負荷要求メッセージを第２のネットワークノードに送信するように構成される、送信モジュール４０であって、負荷要求メッセージは、負荷情報を第１のネットワークノードに報告する際に第２のネットワークノードによって使用される、構成情報を示すために使用される、送信モジュール４０と、構成情報に従って第２のネットワークノードによって報告される負荷情報を受信するように構成される、受信モジュール４２とを含む。
【００４４】
第２のネットワークノードおよび第１のネットワークノードは、ネットワーク内の異なる論理ノードに属する。
【００４５】
図５は、本開示のある実施形態による、負荷情報相互作用のための別のデバイスのブロック図である。本デバイスは、図５に示されるように、第２のネットワークノードに適用され、本デバイスは、第１のネットワークノードによって送信される負荷要求メッセージを受信するように構成される、受信モジュール５０であって、負荷要求メッセージは、負荷情報を第１のネットワークノードに報告する際に第２のネットワークノードによって使用される、構成情報を示すために使用される、受信モジュール５０と、構成情報に従って第１のネットワークノードに報告される負荷情報を受信するように構成される、報告モジュール５２とを含む。
【００４６】
第２のネットワークノードおよび第１のネットワークノードは、ネットワーク内の異なる論理ノードに属する。
【００４７】
ある実施形態では、第１のネットワークノードは、その中に制御プレーンが位置する、ネットワークノードであってもよく、第２のネットワークノードは、その中にユーザプレーンが位置する、ネットワークノードであってもよく、制御プレーンおよびユーザプレーンは、同一ネットワーク要素の制御プレーンおよびユーザプレーン、または同一システムの制御プレーンおよびユーザプレーン、もしくは異なるオブジェクトの制御プレーンおよびユーザプレーンであってもよい。
【００４８】
上記に説明される種々のモジュールは、ソフトウェアまたはハードウェアによって実装されてもよいことに留意されたい。ハードウェアによる実装は、以下の様式において実行されてもよいが、必要ではない。上記に説明される種々のモジュールは、同一プロセッサ内に位置する、または上記に説明される種々のモジュールは、任意の組み合わせ形態において、異なるプロセッサ内に位置する。
【００４９】
異なるサービスの質（ＱｏＳｓ）および不平衡ユーザサービス物理分布によって要求される５Ｇユーザサービスは、５Ｇネットワークのネットワーク展開およびデータ伝送性能に関する異なる要件を有する。異なるタイプのこれらのデータサービスは、多くの場合、現在の比較的に閉鎖されたネットワークアーキテクチャが、種々の５Ｇシナリオを効率的にサポートすることが不可能であるように、インターリーブされる、またはローカルホットスポットエリアにおいて激増される。したがって、第１の要素ネットワークおよび第２のネットワーク要素の分類に基づいて、第１のネットワーク要素内の制御プレーン（ＣＰ）およびユーザプレーン（ＵＰ）は、ＣＰおよびＵＰが、異なる地理的位置において展開されることが可能であって、独立して構成され得、リソース拡張および機能アップグレードが、ＣＰおよびＵＰ上で独立して実施され、それによって、種々の５Ｇサービスの要件をより柔軟かつ効率的に満たし得るように、伝送待ち時間、負荷バランシング、多製造業者間デバイス相互運用性、および展開コストから同時に包括的に検討することによって、物理的に分割される必要がある（ＣＰ機能セットおよびＵＰ機能セットは、論理的に分割されているが、単一ネットワーク要素の中に物理的に統合されていることに留意されたい）。
【００５０】
５Ｇネットワークでは、１つのＣＰが、複数のＵＰに同時に接続されると、個別のＵＰによって搬送されるトラフィック負荷は、異なる。あるＵＰのトラフィックが、オーバーロードされると、ＣＰは、ＵＰのオーバーロードされたトラフィックの一部を他のＵＰに平衡し、ネットワーク全体の負荷バランシングを達成する必要がある。加えて、新しいＵＥが、ネットワークにアクセスすると、ＣＰは、各ＵＰの現在の負荷ステータスを把握し、ＵＥのための最も適切なＵＰを選択する必要がある。したがって、ＣＰは、トラフィック負荷ステータスを各ＵＰから入手し、ネットワーク全体の負荷バランシングを実装し、ネットワークの最大性能を完全に呈する。トラフィック負荷情報は、ここでは、ハードウェアリソース負荷ステータス、ＮＧ−ＵインターフェースおよびＦ１−Ｕインターフェース帯域幅占有パーセンテージ、ネットワークスライスリソース使用量ステータス、物理リソースブロック（ＰＲＢ）使用量ステータス等を含んでもよい。
【００５１】
したがって、ＣＰが、複数のＵＰに接続されると、各ＵＰのトラフィック負荷ステータスを入手し、管理を協調させる方法の問題が、可能な限り迅速に解決され、負荷バランシングを達成し、ネットワークの最大性能を完全に呈する必要がある。
【００５２】
ある実施形態の内容は、５Ｇ  ＮＲまたは他の均等物システムにおけるＣＰ／ＵＰネットワーク要素の物理的分離のシナリオに関連する、負荷情報相互作用問題に適用可能である。ＣＰ／ＵＰネットワーク要素エンティティ間の論理インターフェースは、Ｅ１インターフェースと呼ばれる。
【００５３】
Ｅ１インターフェースのトラフィック負荷情報相互作用機能は、初期化および報告を含む。トラフィック負荷情報相互作用初期化プロセスは、以下、すなわち、Ｅ１無線アクセスポイント（ＡＰ）メッセージ、トラフィック負荷情報要求メッセージ、トラフィック負荷情報応答メッセージを含み、トラフィック負荷情報報告機能は、以下、すなわち、Ｅ１  ＡＰメッセージ、トラフィック負荷情報更新メッセージを含む。
【００５４】
ある実施形態におけるソリューションは、トラフィック負荷情報初期化およびトラフィック負荷情報報告を含む。
トラフィック負荷情報初期化：
ＣＰは、トラフィック負荷要求メッセージを開始し、これは、限定ではないが、以下のうちの１つ以上を含む。
ＣＰの識別情報であって、これは、ＣＰ  ＩＤまたはＩＰアドレス情報であってもよい。
標的ＵＰの識別情報であって、これは、ＵＰ  ＩＤまたはＩＰアドレス情報であってもよい。
標的ＵＰのトラフィック負荷に関する報告様式のインジケーション情報であって、報告様式は、限定ではないが、以下のタイプ、すなわち、周期的報告、イベントトリガ報告、またはリアルタイム報告であることを示すこと等を含んでもよく、周期的報告であることを示すとき、報告様式のインジケーション情報はさらに、報告周期を含み、イベントトリガ報告であることを示すとき、報告様式のインジケーション情報はさらに、イベントタイプおよびイベント関連閾値等の情報ならびに同等物を含む。
要求される標的ＵＰの負荷報告粒度情報であって、報告粒度は、ノードレベル、セルレベル、またはＵＥレベルであってもよく、例えば、ノードレベル負荷情報は、ＵＰハードウェアリソース負荷ステータス、ＮＧ−Ｕインターフェース伝送帯域幅占有パーセンテージ、Ｆ１−Ｕインターフェース伝送帯域幅占有パーセンテージ等を含み、セルレベル負荷情報は、ＵＰによって現在サポートされている各セル内の全てのユーザのトラフィック情報、各セル内の各スライスのリソース使用量ステータス、各セル内で現在確立されているＤＲＢの数および／またはタイプ、ならびに各セル内のアクティブユーザの数を含み、ＵＥレベル負荷情報は、現在のユーザのトラフィック情報を含む。
【００５５】
要求される標的ＵＰの負荷オブジェクトは、限定ではないが、以下のうちの１つ以上を含む。
ハードウェアリソース負荷ステータス
ＮＧ−Ｕインターフェース伝送帯域幅占有パーセンテージ
Ｆ１−Ｕインターフェース伝送帯域幅占有パーセンテージ
各スライスに対応するリソース使用量情報
ＵＰによって現在確立されているＤＲＢの数
ＵＰのアクティブユーザの数、または
ユーザトラフィック情報。
【００５６】
トラフィック負荷要求メッセージを受信した後、ＵＰは、現在のトラフィック負荷情報に従って、トラフィック負荷要求応答メッセージをＣＰに送信する。トラフィック負荷要求応答メッセージは、限定ではないが、以下のうちの１つ以上を含む。
ＣＰの識別情報であって、これは、ＣＰ  ＩＤまたはＩＰアドレス情報であってもよい、
ＵＰの識別情報であって、これは、ＩＤまたはＩＰアドレス情報であってもよい、もしくは
測定要求においてＵＰによってサポートされることが可能である測定オブジェクトのリスト、および現在測定されることが不可能である測定オブジェクトのリスト。
【００５７】
ＵＰが、上記に説明される、任意のトラフィック負荷情報を初期化することが不可能である場合、トラフィック負荷要求失敗メッセージは、ＵＰによってＣＰに送信され、これは、限定ではないが、以下を含む。
ＣＰの識別情報であって、これは、ＣＰ  ＩＤまたはＩＰアドレス情報であってもよい。
ＵＰの識別情報であって、これは、ＩＤまたはＩＰアドレス情報であってもよい。
失敗原因値。
【００５８】
トラフィック負荷情報報告：
ＵＰは、構成情報に従って、受信されたトラフィック負荷初期化メッセージ内において、トラフィック負荷情報を報告し、トラフィック負荷情報は、限定ではないが、以下を含む。
ＣＰの識別情報であって、これは、ＣＰ  ＩＤまたはＩＰアドレス情報であってもよい。
ＵＰの識別情報であって、これは、ＩＤまたはＩＰアドレス情報であってもよい。
ＵＰの負荷報告粒度情報であって、報告粒度は、ノードレベル、セルレベル、またはＵＥレベルであってもよく、例えば、ノードレベル負荷情報は、ＵＰハードウェアリソース負荷ステータス、ＮＧ−Ｕインターフェース伝送帯域幅占有パーセンテージ、Ｆ１−Ｕインターフェース伝送帯域幅占有パーセンテージ等を含み、セルレベル負荷情報は、ＵＰによって現在サポートされている各セル内の全てのユーザのトラフィック情報、各セル内の各スライスのリソース使用量ステータス、各セル内で現在確立されているデータリソースベアラ（端末と基地局との間のＤＲＢ）の数および／またはタイプ、ならびに各セルのアクティブユーザの数を含み、ＵＥレベル負荷情報は、現在のユーザのトラフィック情報を含む。
【００５９】
ＵＰの負荷オブジェクト測定報告は、限定ではないが、以下を含む。
ハードウェアリソース負荷ステータス、
ＮＧ−Ｕインターフェース伝送帯域幅占有パーセンテージ、
Ｆ１−Ｕインターフェース伝送帯域幅占有パーセンテージ、
各スライスに対応するリソース使用量情報、
ＵＰによって現在確立されているＤＲＢの数、
ＵＰのアクティブユーザの数、または
ユーザトラフィック情報。
【００６０】
ＣＰは、ＵＰによって報告される負荷情報に従って、データ伝送サービスを提供するために、新しくアクセスされたユーザのための適切なＵＰを選択する、または現在のＵＰに関するユーザデータが、軽負荷を伴う別のＵＰに軽減され得、したがって、現在のＵＰは、サービスをＵＥに持続的に提供し得る。
【００６１】
図６は、本開示のある実施形態による、第１のネットワーク要素のＣＰ、第１のネットワーク要素のＵＰ、および第２のネットワーク要素間の関係の概略図である。ＣＰおよびＵＰは、それぞれ、２つの異なるＣＵ内に位置し、ユーザプレーンデータおよび制御プレーンデータの分離を実装する。説明を容易にするために、第１のネットワーク要素と第２のネットワーク要素との間のインターフェースは、Ｆ１ＡＰインターフェースであって、ＣＰとＵＰとの間のインターフェースは、Ｅ１インターフェースである。
【００６２】
ある実施形態はさらに、以下を含んでもよい。
【００６３】
図７は、本開示の実施形態によって提供される、ＣＰによって開始されるトラフィック負荷報告の初期化のフローチャートである。
【００６４】
トラフィック負荷要求メッセージ
方向は、ＣＰ−＞ＵＰである。
【００６５】
トラフィック負荷要求メッセージは、限定ではないが、以下を含む。
ＣＰの識別情報であって、これは、ＣＰ  ＩＤまたはＩＰアドレス情報であってもよい。
標的ＵＰの識別情報であって、これは、ＵＰ  ＩＤまたはＩＰアドレス情報であってもよい。
標的ＵＰのトラフィック負荷に関する報告様式のインジケーション情報であって、報告様式は、限定ではないが、以下のタイプ、すなわち、周期的報告、イベントトリガ報告、またはリアルタイム報告であることを示すこと等を含んでもよく、周期的報告であることを示すとき、報告様式のインジケーション情報はさらに、報告周期を含み、イベントトリガ報告であることを示すとき、報告様式のインジケーション情報はさらに、イベントタイプおよびイベント関連閾値等の情報ならびに同等物を含む。
要求される標的ＵＰの負荷報告粒度情報であって、報告粒度は、ノードレベル、セルレベル、またはＵＥレベルであってもよく、例えば、ノードレベル負荷情報は、ＵＰハードウェアリソース負荷ステータス、ＮＧ−Ｕインターフェース伝送帯域幅占有パーセンテージ、Ｆ１−Ｕインターフェース伝送帯域幅占有パーセンテージ等を含み、セルレベル負荷情報は、ＵＰによって現在サポートされている各セル内の全てのユーザのトラフィック情報、各セル内の各スライスのリソース使用量ステータス、各セル内で現在確立されているＤＲＢの数および／またはタイプ、ならびに各セルのアクティブユーザの数を含み、ＵＥレベル負荷情報は、現在のユーザのトラフィック情報を含む。
【００６６】
要求される標的ＵＰの負荷オブジェクトは、限定ではないが、以下のうちの１つ以上を含む。
ハードウェアリソース負荷ステータス、
ＮＧ−Ｕインターフェース伝送帯域幅占有パーセンテージ、
Ｆ１−Ｕインターフェース伝送帯域幅占有パーセンテージ、
各スライスに対応するリソース使用量情報、
ＵＰによって現在確立されているＤＲＢの数、
ＵＰのアクティブユーザの数、または
ユーザトラフィック情報。
【００６７】
トラフィック負荷要求応答メッセージ
方向は、ＵＰ−＞ＣＰである。
トラフィック負荷要求応答メッセージは、限定ではないが、以下を含む。
ＣＰの識別情報であって、これは、ＣＰ  ＩＤまたはＩＰアドレス情報であってもよい。
ＵＰの識別情報であって、これは、ＩＤまたはＩＰアドレス情報であってもよい。
測定要求においてＵＰによってサポートされることが可能である測定オブジェクトのリスト、および現在測定されることが不可能である測定オブジェクトのリスト。
【００６８】
トラフィック負荷要求失敗メッセージ
方向は、ＵＰ−＞ＣＰである。
トラフィック負荷要求失敗メッセージは、限定ではないが、以下を含む。
ＣＰの識別情報であって、これは、ＣＰ  ＩＤまたはＩＰアドレス情報であってもよい。
ＵＰの識別情報であって、これは、ＩＤまたはＩＰアドレス情報であってもよい。
失敗原因値。
【００６９】
図８は、本開示の実施形態によって提供される、トラフィック負荷報告の概略フローチャートである。
【００７０】
トラフィック負荷情報報告メッセージ
方向は、ＵＰ−＞ＣＰである。
【００７１】
トラフィック負荷情報報告メッセージは、限定ではないが、以下を含む。
ＣＰの識別情報であって、これは、ＣＰ  ＩＤまたはＩＰアドレス情報であってもよい。
ＵＰの識別情報であって、これは、ＩＤまたはＩＰアドレス情報であってもよい。
ＵＥの負荷報告粒度情報であって、報告粒度は、ノードレベル、セルレベル、またはＵＥレベルであってもよく、例えば、ノードレベル負荷情報は、ＵＰハードウェアリソース負荷ステータス、ＮＧ−Ｕインターフェース伝送帯域幅占有パーセンテージ、Ｆ１−Ｕインターフェース伝送帯域幅占有パーセンテージ等を含み、セルレベル負荷情報は、ＵＰによって現在サポートされている各セル内の全てのユーザのトラフィック情報、各セル内の各スライスのリソース使用量ステータス、各セル内で現在確立されているＤＲＢの数および／またはタイプ、ならびに各セルのアクティブユーザの数を含み、ＵＥレベル負荷情報は、現在のユーザのトラフィック情報を含む。
【００７２】
ＵＰの負荷オブジェクト測定報告は、限定ではないが、以下を含む。
ハードウェアリソース負荷ステータス、
ＮＧ−Ｕインターフェース伝送帯域幅占有パーセンテージ、
Ｆ１−Ｕインターフェース伝送帯域幅占有パーセンテージ、
各スライスに対応するリソース使用量情報、
ＵＰによって現在確立されているＤＲＢの数、
ＵＰのアクティブユーザの数、または
ユーザトラフィック情報。
【００７３】
ＣＰは、ＵＰによって報告される負荷情報に従ってデータ伝送サービスを提供するために、新しくアクセスされたユーザのための適切なＵＰを選択する、または現在のＵＰに関するユーザデータが、軽負荷を伴う別のＵＰに軽減され得、したがって、現在のＵＰは、サービスをＵＥに持続的に提供し得る。
【００７４】
本開示の実施形態はさらに、下記に説明されるステップを実行するためのプログラムコードを記憶するように構成される、記憶媒体を提供する。
【００７５】
Ｓ１では、負荷要求メッセージが、第２のネットワークノードに送信され、負荷要求メッセージは、負荷情報を第１のネットワークノードに報告する際に第２のネットワークノードによって使用される、構成情報を示すために使用される。
【００７６】
Ｓ２では、第２のネットワークノードによって報告される負荷情報が、構成情報に従って受信される。
【００７７】
ある実施形態では、記憶媒体は、限定ではないが、ＵＳＢディスク、ＲＯＭ、ＲＡＭ、モバイルハードディスク、磁気ディスク、光ディスク、またはプログラムコードを記憶することが可能な任意の媒体のうちの少なくとも１つを含んでもよい。
【００７８】
ある実施形態では、プロセッサは、記憶媒体内に記憶されるプログラムコードに従って、負荷要求メッセージを第２のネットワークノードに送信することであって、負荷要求メッセージは、負荷情報を第１のネットワークノードに報告する際に第２のネットワークノードによって使用される、構成情報を示すために使用される、ことと、構成情報に従って第２のネットワークノードによって報告される負荷情報を受信することとを実施する。
【００７９】
明らかなこととして、本開示の前述のモジュールまたはステップのそれぞれは、一般的コンピューティング装置によって実装されてもよく、モジュールまたはステップは、単一コンピューティング装置上に集中される、もしくは複数のコンピューティング装置から成るネットワーク上に分散されてもよく、代替として、モジュールまたはステップは、モジュールまたはステップが、記憶装置内に記憶され、コンピューティング装置によって実行され得るように、コンピューティング装置によって実行可能なプログラムコードによって実装されてもよいことが、当業者によって理解されるであろう。いくつかの状況では、図示または説明されるステップは、本明細書に説明されるものと異なるシーケンスで実行されてもよい、またはモジュールもしくはステップは、種々の集積回路モジュールの中に別個に作製されてもよい、またはその中の複数のモジュールもしくはステップは、実装のために、単一集積回路モジュールの中に作製されてもよい。このように、本開示は、ハードウェアおよびソフトウェアの任意の具体的組み合わせに限定されない。
【００８０】
上記は、本開示の具体的実施形態にすぎず、本発明を限定することを意図するものではない。当業者であれば、修正または代用を本発明の技術的範囲内において想起することが容易である。本開示の精神および原理内の任意の修正、均等物置換、改良、ならびに同等物は、本開示の保護の範囲内であるものとする。
【図１】
0006965442.tif 000002
【図２】
0006965442.tif 000003
【図３】
0006965442.tif 000004
【図４】
0006965442.tif 000005
【図５】
0006965442.tif 000006
【図６】
0006965442.tif 000007
【図７】
0006965442.tif 000008
【図８】
0006965442.tif 000009